(57)【要約】【課題】  安定して刃具を挟持し、高速回転時に刃具の軸心が安定状態を保持できる刃具コレットに用いるロックナットを提供する。【解決手段】  ナット１０は、１個の中空軸孔が設けられ、かつ軸孔内壁に１個のねじ山部が設けられ、ねじ山部に隣接する側には１個のスナップリング１３が設けられている。スナップリング１３は軸孔軸心と向かい合い偏心して凸設されている。ナット１０のスナップリング１３の凸出部位に対応する位置には少なくとも１個の凹部が設けられ、凹部はナット１０に対し重量バランスを取る効果を生むことで刃具を挟持し、高速回転する時に、刃具の軸心を安定状態に保持可能である。【選択図】    図３
0003102050.tif 000002
【実用新案登録請求の範囲】
【請求項１】
中空軸孔が設けられ、かつ軸孔内壁にはねじ山部が設けられ、該ねじ山部に隣接する側にはスナップリングが設けられ、該スナップリングは該軸孔の軸心と向かい合い偏心して凸設されている刃具コレットに用いるロックナットであって、
該スナップリングの凸出部位に対応する位置には少なくとも１個の凹部が設けられ、該凹部はナットに対し重量バランスを取る効果を生むことで刃具を挟持し、高速回転する時に、刃具の軸心を安定状態に保持可能であることを特徴とする刃具コレットに用いるロックナット。
【請求項２】
該凹部は、ナットの外周面上に設けられていることを特徴とする請求項１記載の刃具コレットに用いるロックナット。
【請求項３】
ナットの外周面には、間隔をあけて数個の係合溝が設けられ、該係合溝はペンチと係合するのに用いられ、該凹部は該スナップリングの凸出部位に対応する係合溝中に設けられていることを特徴とする請求項２記載の刃具コレットに用いるロックナット。
【請求項４】
ナットの外周面には、正多角形の断面が設けられ、該断面はレンチと係合するのに用いられ、該凹部は該スナップリングの凸出部位に対応する断面上に設けられていることを特徴とする請求項２記載の刃具コレットに用いるロックナット。
【考案の詳細な説明】
【技術分野】
【０００１】
本考案は、切削機械の刃具の挟持部品に関し、更に詳しくは、１種の刃具コレットに用いるロックナットに関する。
【背景技術】
【０００２】
図１に示されるのは、フライス盤などの切削機械に用いられる１種の刃具コレット部品であるが、大抵、切削機械の主軸上に結合される１個のシャンク１、該シャンク１の軸孔内に塞設される１個のコレット２および該コレット２を固く固定するのに使用されるナット３を含み、上述の部品は組付け結合後、１個の刃具４を固く挟持することができる（図２に示される通り）。また、該コレットは刃具４の交換が便利であると同時に、併せて該コレット２を該シャンク１と分離させることもできる。該コレット２の下段には１個のテーパ溝２ａが環設され、また、該ナット３の内壁には１個の環状でかつ偏心して凸設されるスナップリング３ａが設けられ、該コレット２と該ナット３の組付け時、該スナップリング３ａの凸出部を該テーパ溝２ａ中に嵌め合わせることにより、該ナット３を下向きに旋回させる時、該スナップリング３ａが該テーパ溝２ａの１つの側壁を触圧し、これによって、該コレット２を動かして下へ移動させ、該シャンク１と分離させることができる。
【０００３】
上述の構造は確かに刃具交換と同時に該コレット２を取り外すことができるが、該ナット３の成形製作時、スナップリング３ａが偏心して凸設されるため、該ナット３はこの凸出した側の重さがその他の部位よりも重くなり、該ナット３を該シャンク１上に固く結合させ、かつシャンク１が高速回転する状況のもとでは、ナット３の片側が偏重していると、該刃具４の回転時に揺れが生じ（図２中の想像線により示される通り）、該刃具４の軸心は安定した状態を保持できず、とりわけ刃具４底端の揺れの状況はさらに顕著である。しかし、これらの切削機械の設計回転速度が日増しに速くなり、かつ加工物に対する要求精度がますます厳しくなっている状況下では、この重量分布から派生する刃具４の揺れの問題は、加工物の加工製作に不利であり、該刃具コレットにはなお改善すべき箇所が有る。
これに鑑み、本考案者は詳細に思考し、また、長年にわたって刃具コレットの研究開発経験を積み、ついに本考案を考案した。
【考案の開示】
【考案が解決しようとする課題】
【０００４】
すなわち、本考案の主要な目的は、安定して刃具を挟持し、また、高速回転時に刃具の軸心が安定状態を保持できるようにした１種の刃具コレットに用いるロックナットを提供することである。
【課題を解決するための手段】
【０００５】
上述の目的を達成するために、本考案が提供する１種の刃具コレットに用いるロックナットは、該ナットに１個の中空軸孔が設けられ、かつ該ナットの軸孔内壁には１個のねじ山部が設けられ、また、該ねじ山部に隣接する側には１個のスナップリングが設けられ、該スナップリングは該軸孔軸心と向かい合い、偏心して凸設される。その特徴は、以下の点にある。該ナットの該スナップリングの凸出部位に対応する位置には少なくとも１個の凹部が設けられ、該凹部は該ナットに対し重量バランスを取る効果を生むことで刃具を挟持して、高速回転する時に、刃具の軸心を安定状態に保持できる。
【考案を実施するための最良の形態】
【０００６】
以下に、本考案の比較的よい実施例をあげ、下記の図面に基づき詳細に説明する。
図３から図６をご参照いただきたい。本考案の一実施例による刃具コレットに用いるロックナット１０は、１個の環形体であり、かつ１個の中空の軸孔１１を有し、該ナット１０にはまた軸孔１１内壁の上段箇所に１個のねじ山部１２が設けられ、かつ該ねじ山部１２下方に隣接する側には１個のスナップリング１３が設けられ、該スナップリング１３は該軸孔１１軸心と向かい合い、偏心して凸設され、また、該ナット１０の外周面上には間隔をあけて数個の係合溝１４が設けられ、各係合溝１４はペンチ（図中非表示）と係合し、該ナット１０を回転させるのに用いられる。上述内容は従来技術であり、本実施例の主要な改良点は以下の点にある。
【０００７】
該ナット１０の外周面の該スナップリング１３凸出部位に対応する位置には、少なくとも１個の凹部１５が設けられている。該凹部１５は試験および計算を経た後、削られて所定の溝深と長さを有する溝となり、かつ該ナット１０は該凹部１５の設置により、全体の重量分布のバランスを取ることができる。本実施例においては、該スナップリング１３の凸出部位に対応する係合溝１４上に２個の凹部１５を斜め切削成形方式で直接製作する。換言すれば、該ナット１０のスナップリング１３が設置されている側が偏重する状況は、凹部１５を対応して設置することにより、重量が平均分布する状態になる。さらに、凹部１５は本来係合溝１４を設置した目的と効果も有する。
【０００８】
図７に示される本考案におけるナットの別の実施例の説明図をご参照いただきたい。該ナット２０の前述のナット１０と異なる箇所は以下の点にある。ナット２０の偏心スナップリング２１に対応して設けられた凹部２２は同じ陥没深さで設置され、最終的にナット２０の重量が平均分布するようになっており、該凹部２２の削り取られた面積はその他の係合溝２３の面積よりも大きい。
【０００９】
図８に示される本考案におけるナットのさらに別の実施例の説明図をご参照いただきたい。該ナット３０の内壁には１個の偏心スナップリング３１が設けられ、その外周面上には正六角形の断面３２が設けられ、各断面３２はレンチと係合してナット３０を回転させるのに用いられる。本実施例における凹部３３はナット３０の外側面に位置し、かつスナップリング３１の部位に対応する切断面３２の上方に隣接し、該凹部３３は同様にナット３０の重量のバランスを取る効果を有する。
【００１０】
以下は本考案におけるナットの実際の応用例であるが、ことわっておくべき点は、前述の各実施例のナットはみな所期の安定効果を達成できると言うことである。以下、ロックナット１０の場合を例に説明する。
【００１１】
図９および図１０をご参照いただきたい。シャンク４０、コレット５０および該ナット１０が互いに結合して１個の刃具６０を挟持する時、該ナット１０全体の重量分布については、該凹部１５がスナップリング１３と対応して切削形成された後、重量分布は片方が増加して片方が減少するという状況のもとで互いに相殺し、最終的にナット１０各箇所の重量は平均的に分布する。このようにして、シャンク４０が該刃具６０を動かして高速回転させる時、該刃具６０の軸心を安定した状態に維持することができ、該刃具６０は揺れたり、振動したりすることがない。このため、本実施例を利用して加工物を加工製作する時、正確な寸法の加工物を得ることができる。
【００１２】
上述の内容をまとめると、本考案は同類製品中において確かに進歩実用性と使用上の利便性を有し、また、本考案の申請前に同等製品は刊行物あるいは公開での使用が見られないことより、本考案は確かに新規特許要件を備えており、ここに法に基づき申請する。
【図面の簡単な説明】
【００１３】
【図１】従来の刃具コレットの分解断面図である。
【図２】従来の刃具コレットの作動状態の模式図である。
【図３】本考案の一実施例による刃具コレットに用いるロックナットの斜視図である。
【図４】本考案の一実施例による刃具コレットに用いるロックナットの平面図である。
【図５】本考案の一実施例による刃具コレットに用いるロックナットの下面図である。
【図６】本考案の一実施例による刃具コレットに用いるロックナットの模式図である。
【図７】本考案の別の実施例による刃具コレットに用いるロックナットの部分断面図である。
【図８】本考案のさらに別の実施例による刃具コレットに用いるロックナットの斜視図である。
【図９】本考案の一実施例による刃具コレットに用いるロックナットとその他の刃具コレット部品の模式図である。
【図１０】本考案の一実施例による刃具コレットに用いるロックナットとその他の刃具コレット部品の模式図である。
【符号の説明】
【００１４】
１０  ナット、１１  軸孔、１２  ねじ山部、１３  スナップリング、１４  係合溝、１５  凹部、２０  ナット、２１  スナップリング、２２  凹部、２３  係合溝、３０  ナット、３１  スナップリング、３２  断面、３３  凹部、４０  シャンク、５０  コレット、６０  刃具
【図１】
0003102050.tif 000003
【図２】
0003102050.tif 000004
【図３】
0003102050.tif 000005
【図４】
0003102050.tif 000006
【図５】
0003102050.tif 000007
【図６】
0003102050.tif 000008
【図７】
0003102050.tif 000009
【図８】
0003102050.tif 000010
【図９】
0003102050.tif 000011
【図１０】
0003102050.tif 000012